(57)【要約】【課題】本発明は、既存の再生装置における再生を何ら妨げることなく、違法コピーを禁止することができるようにする。【解決手段】データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースを作成して、データのコピーを制限する暗号データ５を記録する。【選択図】        図１
2004185767.tif 000002
【特許請求の範囲】
【請求項１】
所定の基準周期の整数倍に対応する長さによりピット及びランド若しくはマーク及びスペースを順次作成して所望のデータを光ディスクに記録するデータ記録装置において、
前記データを正しく再生可能な範囲で、前記基準周期を単位にして、再生時に検出される前記ピット及びランドのエッジのタイミング、又は前記マーク及びスペースのエッジのタイミングが変化するように、前記ピット及びランド若しくはマーク及びスペースを作成して、前記データのコピーを制限する暗号データを記録する
ことを特徴とするデータ記録装置。
【請求項２】
前記ピット及びランドのエッジのタイミングの変化、又は前記マーク及びスペースのエッジのタイミングの変化を、
同期信号に対応する前記ピット及びランド若しくはマーク及びスペースに作成する
ことを特徴とする請求項１に記載のデータ記録装置。
【請求項３】
前記ピット及びランドのエッジのタイミングの変化、又は前記マーク及びスペースのエッジのタイミングの変化を、
前記光ディスクに形成される長さが最も短いピット及びランド若しくはマーク及びスペースに形成する
ことを特徴とする請求項１に記載のデータ記録装置。
【請求項４】
前記ピット及びランドのエッジのタイミングの変化、又は前記マーク及びスペースのエッジのタイミングの変化を、
前記光ディスクに形成される長さが最も長いピット及びランド若しくはマーク及びスペースに形成する
ことを特徴とする請求項１に記載のデータ記録装置。
【請求項５】
前記暗号データと共に、誤り訂正用の符号を記録する
ことを特徴とする請求項１に記載のデータ記録装置。
【請求項６】
前記暗号データを繰り返し記録する
ことを特徴とする請求項１に記載のデータ記録装置。
【請求項７】
所定の基準周期の整数倍に対応する長さによりピット及びランド若しくはマーク及びスペースが順次作成されて所望のデータが記録されてなる光ディスクにおいて、
前記データを正しく再生可能な範囲で、前記基準周期を単位にして、再生時に検出される前記ピット及びランドのエッジのタイミング、又は前記マーク及びスペースのエッジのタイミングが変化するように、前記ピット及びランド若しくはマーク及びスペースが作成されて、前記データのコピーを制限する暗号データが記録された
ことを特徴とする光ディスク。
【請求項８】
前記ピット及びランドのエッジのタイミングの変化、又は前記マーク及びスペースのエッジのタイミングの変化が、
同期信号に対応する前記ピット及びランド若しくはマーク及びスペースに作成された
ことを特徴とする請求項７に記載の光ディスク。
【請求項９】
前記ピット及びランドのエッジのタイミングの変化、又は前記マーク及びスペースのエッジのタイミングの変化が、
前記光ディスクに形成される長さが最も短いピット及びランド若しくはマーク及びスペースに形成された
ことを特徴とする請求項７に記載の光ディスク。
【請求項１０】
前記ピット及びランドのエッジのタイミングの変化、又は前記マーク及びスペースのエッジのタイミングの変化が、
前記光ディスクに形成される長さが最も長いピット及びランド若しくはマーク及びスペースに形成された
ことを特徴とする請求項７に記載の光ディスク。
【請求項１１】
所定の基準周期の整数倍に対応する長さによりピット及びランド若しくはマーク及びスペースが順次作成されて所望のデータが記録されてなる光ディスクを再生する光ディスク装置において、
前記ピット及びランドのエッジのタイミング、又は前記マーク及びスペースのエッジのタイミングを判定して、前記データのコピーを制限する暗号データを再生し、
該再生結果に基づいて、前記データの再生及び又は出力を制限する
ことを特徴とする光ディスク装置。
【請求項１２】
所望の暗号を光ディスクに記録する暗号記録方法において、
所定の基準周期の整数倍に対応する長さによりピット及びランド若しくはマーク及びスペースを順次作成して所望のデータを光ディスクに記録し、
前記データを正しく再生可能な範囲で、前記基準周期を単位にして、再生時に検出される前記ピット及びランドのエッジのタイミング、又は前記マーク及びスペースのエッジのタイミングが変化するように、前記ピット及びランド若しくはマーク及びスペースを作成して、前記暗号を記録する
ことを特徴とする暗号記録方法。
【請求項１３】
光ディスクに記録された暗号を再生する暗号再生方法であって、
前記光ディスクは、
所定の基準周期の整数倍に対応する長さによりピット及びランド若しくはマーク及びスペースが順次作成されて所望のデータが記録され、
前記暗号再生方法は、
前記ピット及びランドのエッジのタイミング、又は前記マーク及びスペースのエッジのタイミングを判定して、前記暗号を再生する
ことを特徴とする暗号再生方法。
【発明の詳細な説明】
【０００１】
【発明の属する技術分野】
本発明は、データ記録装置、光ディスク、光ディスク装置、暗号記録方法及び暗号再生方法に関し、例えばコンパクトディスク（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ  ）に適用することができる。本発明は、データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースを作成して、データのコピーを制限する暗号データを記録することにより、既存の再生装置における再生を何ら妨げることなく、違法コピーを禁止することができるようにする。
【０００２】
【従来の技術】
従来、コンパクトディスクにおいては、記録に供するデータに誤り訂正符号を付加してインターリーブ処理した後、さらに誤り訂正符号を付加してＥＦＭ変調（Ｅｉｇｈｔ  ｔｏ  Ｆｏｕｒｔｅｅｎ  Ｍｏｄｕｌａｔｉｏｎ）し、同期信号等を付加して記録するようになされている。
【０００３】
このようなコンパクトディスク等の光ディスクについては、違法コピーを防止する方法として種々の方法が提案されるようになされており、例えば特開２００２−１９７８１０号公報においては、ＤＳＶ（Ｄｉｇｉｔａｌ  Ｓｕｍ  Ｖａｌｕｅ  ）を変化させて付加情報を記録する方法が提案されるようになされている。
【特許文献１】
特開２００２−１９７８１０号公報
【０００４】
【発明が解決しようとする課題】
ところでこのような違法コピーの防止方法にあっては、既存の光ディスクに適用する場合、既存の再生装置における再生を何ら妨げることなく、違法コピーを禁止することが求められる。
【０００５】
本発明は以上の点を考慮してなされたもので、既存の再生装置における再生を何ら妨げることなく、違法コピーを禁止することができるデータ記録装置、光ディスク、光ディスク装置、暗号記録方法及び暗号再生方法を提案しようとするものである。
【０００６】
【課題を解決するための手段】
かかる課題を解決するため請求項１の発明においては、所定の基準周期の整数倍に対応する長さによりピット及びランド若しくはマーク及びスペースを順次作成して所望のデータを光ディスクに記録するデータ記録装置に適用して、データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースを作成して、データのコピーを制限する暗号データを記録する。
【０００７】
また請求項７の発明においては、所定の基準周期の整数倍に対応する長さによりピット及びランド若しくはマーク及びスペースが順次作成されて所望のデータが記録されてなる光ディスクに適用して、データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースが作成されて、データのコピーを制限する暗号データが記録されてなるようにする。
【０００８】
また請求項１１の発明においては、所定の基準周期の整数倍に対応する長さによりピット及びランド若しくはマーク及びスペースが順次作成されて所望のデータが記録されてなる光ディスクを再生する光ディスク装置に適用して、ピット及びランドのエッジのタイミング、又はマーク及びスペースのエッジのタイミングを判定して、データのコピーを制限する暗号データを再生し、該再生結果に基づいて、データの再生及び又は出力を制限する。
【０００９】
また請求項１２の発明においては、所望の暗号を光ディスクに記録する暗号記録方法に適用して、データを正しく再生可能な範囲で、基準周期を単位にして、再生時に検出される前記ピット及びランドのエッジのタイミング、又は前記マーク及びスペースのエッジのタイミングが変化するように、ピット及びランド若しくはマーク及びスペースを作成して、暗号を記録する。
【００１０】
また請求項１３の発明においては、光ディスクに記録された暗号を再生する暗号再生方法に適用して、ピット及びランドのエッジのタイミング、又はマーク及びスペースのエッジのタイミングを判定して、暗号を再生する。
【００１１】
請求項１の構成により、所定の基準周期の整数倍に対応する長さによりピット及びランド若しくはマーク及びスペースを順次作成して所望のデータを光ディスクに記録するデータ記録装置に適用して、データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースを作成して、データのコピーを制限する暗号データを記録すると、このようなエッジのタイミングの変化にあっては、再生時における処理により、何らタイミングが変化していない場合と同様に処理され、これにより既存の再生装置における再生を何ら妨げることなく暗号データを記録し得、この暗号データにより違法コピーを禁止することができる。
【００１２】
これにより請求項７、請求項１１、請求項１２、請求項１３の構成によれば、既存の再生装置における再生を何ら妨げることなく違法コピーを禁止することができる光ディスク、この光ディスクを再生する光ディスク装置、これらの光ディスク装置に関する暗号記録方法、暗号再生装方法を提供することができる。
【００１３】
【発明の実施の形態】
以下、適宜図面を参照しながら本発明の実施の形態を詳述する。
【００１４】
（１）第１の実施の形態
（１−１）第１の実施の形態の構成
図１は、本発明の第１の実施の形態に係るディスク原盤作成装置の構成を示すブロック図である。このディスク原盤作成装置１は、表面にレジストを塗布してなるガラス原盤２にレーザービームを照射してこのガラス原盤２を露光する。光ディスクの製造工程においては、このガラス原盤２を現像してマザーディスクを作成した後、このマザーディスクよりスタンパを作成し、このスタンパを用いてコンパクトディスクを作成するようになされている。
【００１５】
このディスク原盤作成装置１において、フォーマッタ３は、光ディスク４等を介して記録に供するデータの提供を受け、このデータからコンパクトディスクに作成するピット列に対応して信号レベルが切り換わる変調信号Ｓ１を生成する。ここでこの記録に供するデータは、コンパクトディスクにピット列により記録する本来のデータ（以下、主データと呼ぶ）であり、オーディオデータと、ＴＯＣ（Ｔａｂｌｅ  Ｏｆ  Ｃｏｎｔｅｎｔｓ  ）、サブコードの生成に供するデータとにより構成される。
【００１６】
フォーマッタ３は、この変調信号Ｓ１を生成する処理において、暗号によるコピー防止キー５を併せてコンパクトディスクに記録し、このコピー防止キー５により主のデータのディジタル出力によるコピーを制御するようになされている。
【００１７】
すなわちこのフォーマッタ３において、情報再生部６は、光ディスク４を再生して主データを順次出力する。ＥＦＭ信号生成回路７は、情報再生部６から出力される主データによるオーディオデータを所定のデータ量単位でブロック化して誤り訂正符号を付加した後、インターリーブ処理し、さらに誤り訂正符号を付加する。ＥＦＭ信号生成回路７は、このようにして処理した主データ、誤り訂正符号をＥＦＭ変調した後、同期信号を介挿してチャンネルクロックに同期したシリアルデータ列により出力する。またこのときＥＦＭ信号生成回路７は、ＴＯＣのデータ、サブコードのデータを生成し、オーディオデータに代えてこのＴＯＣのデータを同様に処理し、またオーディオデータにサブコードのデータを適宜介挿して処理する。
【００１８】
図２は、このようにして生成されるサブコーディングのフレームフォーマットを示す図表である。これらによりＥＦＭ信号生成回路７は、それぞれ同期信号（フレーム同期）を割り当ててなる５８８チャンネルビットを１フレームに設定し、９８フレームを単位にしたサブコーディングフレーム単位で、主データを処理するようになされている。これらによりＥＦＭ信号生成回路７は、ＥＦＭ変調信号ＥＦＭを生成し、フォーマッタ３では、このＥＦＭ変調信号ＥＦＭをＮＲＺＩ（Ｎｏｎ  Ｒｅｔｕｒｎ  ｔｏ  Ｚｅｒｏ  Ｉｎｖｅｒｔｅｄ  ）変調してピット列に対応して信号レベルが切り換わる変調信号Ｓ１を生成するようになされている。
【００１９】
同期信号置換回路８は、図３に示すように、コピー防止キー５に誤り検出コード（ＥＤＣ：Ｅｒｒｏｒ  Ｄｅｔｅｃｔｉｎｇ  Ｃｏｄｅ）  、誤り訂正符号  （ＥＣＣ：Ｅｒｒｏｒ  Ｃｏｒｒｅｃｔｉｎｇ  Ｃｏｄｅ）を付加した後、これらコピー防止キー５、誤り検出コード、誤り訂正符号を所定順序により順次シリアルデータ列（以下、キーデータ列と呼ぶ）に変換する。同期信号置換回路８は、所定期間の間、このキーデータ列に応じてＥＦＭ信号生成回路７の出力データに含まれる同期信号を置き換える。
【００２０】
ここで同期信号は、規格によれば図４（Ａ）に示すような２４ビットの同期パターンにより構成され、これによりこの実施の形態では、この同期パターンによるＥＦＭ変調信号ＥＦＭをＮＲＺＩ変調して、図４（Ｂ１）又は（Ｂ２）により示すように、ピットの作成基準の周期Ｔに対して周期１１Ｔによりピット及びランドが連続するように変調信号Ｓ１が生成される。これによりフォーマッタ３では、図４（Ａ）に示す同期パターンによるＥＦＭ変調信号ＥＦＭがＥＦＭ信号生成回路７から出力される。
【００２１】
同期信号置換回路８は、コンパクトディスクの所定領域に対応する期間の間、ＥＦＭ信号生成回路７から出力されるＥＦＭ変調信号ＥＦＭを監視し、このＥＦＭ変調信号ＥＦＭに含まれる同期信号を検出する。なおここでこの所定領域は、事前に設定された領域であり、例えばＵ−ＴＯＣの領域、プログラムエリアの先頭領域等である。同期信号置換回路８は、このような同期信号の検出により、サブコーディングフレームの先頭フレームの同期信号を検出し、この先頭フレームの同期信号をキーデータ列に応じて置き換える（図４（Ｅ））。
【００２２】
同期信号置換回路８は、このようにして検出される同期信号に対応するピット又はランドにおいて、キーデータ列に応じて長手方向のエッジの位置を変化させるように、同期信号を置き換える。すなわち図４（Ｃ）及び（Ｆ）により示すように、キーデータ列Ｄ２が論理０の場合、同期信号置換回路８は、何ら同期信号を置き換えないのに対し、キーデータ列Ｄ２が論理１の場合、末尾側の論理１への立ち上がりが、１チャンネルクロック周期だけ早いタイミングとなるように、同期信号を置き換える。これによりこの場合、図４（Ｄ１）、（Ｄ２）に示すように、周期１１Ｔでピットが形成された後、周期１０Ｔでランドが形成されるように、又は周期１１Ｔでランドが形成された後、周期１０Ｔでピットが形成されるように、同期信号を置き換え、ランド又はピットの走査終了側エッジの位置を変化させる。
【００２３】
同期信号置換回路８は、キーデータ列Ｄ２を繰り返し用いてこのような同期信号の置き換えを実行し、これによりコンパクトディスクにキーデータ列Ｄ２を繰り返し記録して、確実にコピー防止キー５を再生できるようにする。
【００２４】
かくしてフォーマッタ３において、続くＥＦＭ信号出力回路９は、このＥＦＭ信号生成回路７から出力されるＥＦＭ変調信号ＥＦＭ１をＮＲＺＩ変調してカッティングマシン１０に出力する。
【００２５】
カッティングマシン１０は、ディスク原盤２にレーザービームを照射し、このレーザービームの照射位置をディスク原盤２の内周側から外周側に順次変化させながら、ディスク原盤２を線速度一定の条件により回転駆動する。またこのときカッティングマシン１０は、フォーマッタ３から出力される変調信号Ｓ１によりレーザー駆動回路１１でディスク原盤２に照射するレーザービームをオンオフ制御する。これによりカッティングマシン１０は、変調信号Ｓ１に対応する露光軌跡をディスク原盤２に順次作成し、この露光軌跡によりコンパクトディスクにピット列を形成するようになされている。
【００２６】
図５は、ディスク原盤２から作成されるコンパクトディスク２０に係るコンパクトディスクプレイヤーを示すブロック図である。このコンパクトディスクプレイヤー２１において、光ピックアップ２２は、コンパクトディスク２０にレーザービームを照射してその戻り光を受光することにより、コンパクトディスク２０に作成されたピット列に応じて信号レベルが変化する再生信号ＲＦを出力する。なお光ピックアップ２２は、図示しないサーボ回路によりコンパクトディスク２０の半径方向に可動するようになされ、これによりシステムコントローラ２３の制御によりシークし得るようになされ、またこのサーボ回路によりトラッキング制御、フォーカス制御されるようになされている。
【００２７】
ＣＤ信号処理部２４は、この再生信号ＲＦを処理してコンパクトディスク２０に記録されたオーディオデータ等を再生する。すなわちＣＤ信号処理部２４は、再生信号ＲＦよりチャンネルクロックを再生し、このチャンネルクロックにより再生信号ＲＦを２値識別することにより、ＥＦＭ変調信号ＥＦＭ１を再生する。ＣＤ信号処理部２４は、シンクデコーダ２４ＡによりこのＥＦＭ変調信号ＥＦＭ１より同期信号を検出し、この同期信号検出のタイミングを基準にして記録時の処理に対応してＥＦＭ変調信号ＥＦＭ１を処理することにより、サブコード、オーディオデータを再生する。
【００２８】
ＣＤ信号処理部２４は、このようにして得られるオーディオデータをアナログディジタル変換処理してアナログ信号によるオーディオ信号ＳＡを生成し、このオーディオ信号ＳＡを外部機器に出力する。これによりコンパクトディスクプレイヤー２１では、コンパクトディスク２０に記録された音楽を楽しむことができるようになされている。またシステムコントローラ２３の制御により、このオーディオデータを所定のインターフェースにより出力し、これによりコンパクトディスク２０に記録された音楽をディジタル出力によりコピーできるようになされている。
【００２９】
これらの処理において、シンクデコーダ２４Ａは、ＥＦＭ変調信号ＥＦＭ１から１つの同期信号が検出されると、この同期信号を検出したタイミングを基準にして続く同期信号を検出すると共に、同期信号のエラーを検出してエラーを訂正する。これによりコンパクトディスクプレイヤー２１では、例えばコンパクトディスク２０が傷付いている場合、さらには再生信号ＲＦのジッタが大きい場合でも、確実にコンパクトディスク２０に記録されたオーディオデータを再生できるようになされている。
【００３０】
シンクデコーダ２４Ａは、この同期信号の検出処理において、同期信号のエラーが検出されると、図４（Ｇ）に示すように、エラー検出フラグＦを立ち上げ、このエラーを暗号デコーダ２５に通知する。
【００３１】
暗号デコーダ２５は、システムコントローラ２３の制御により、このエラー検出フラグを所定周期で取り込むことによりキーデータ列Ｄ２を取得し、このキーデータ列Ｄ２に設定された誤り検出符号、誤り訂正符号によりコピー防止キー５を誤り訂正処理する。暗号デコーダ２５は、コンパクトディスク２０に繰り返し記録されたコピー防止キー５について、これらの検出処理を繰り返し、検出したコピー防止キー５を、誤り訂正処理結果と共にシステムコントローラ２３に通知する。
【００３２】
システムコントローラ２３は、このコンパクトディスクプレイヤー２１の動作を制御するコンピュータであり、コンパクトディスク２０が装填されると、サーボ回路の制御によりフォーカスサーチ等の処理を実行した後、キーデータ列Ｄ２の記録領域に設定されてなる領域に光ピックアップ２２をシークさせる。また続いてこの領域からコピー防止キー５を再生するように全体の動作を制御し、暗号デコーダ２５からコピー防止キー５、誤り訂正処理結果を取得する。
【００３３】
システムコントローラ２３は、このようにして取得した複数のコピー防止キー５、誤り訂正処理結果を比較、判定する。システムコントローラ２３は、このコピー防止キー５の比較、判定により、コンパクトディスク２０の装填時における一連の処理を終了し、続くユーザーの指示によりコンパクトディスク２０に記録された音楽を再生し、コピー防止キー５の判定結果に応じて、この音楽の再生によるＣＤ信号処理部２４からのオーディオデータＤＡの出力を中止制御する。
【００３４】
かくするにつき図６は、このコンパクトディスクプレイヤー２１におけるこのコピー防止キー５に係る処理手順を示すフローチャートである。コンパクトディスクプレイヤー２１は、コンパクトディスク２０が装填されてフォーカスサーチ等の処理を完了すると、ステップＳＰ１からステップＳＰ２に移り、シンクデコーダ２４Ａにより同期信号のエラーを検出し、同期信号のエラーが検出されると、ステップＳＰ２からステップＳＰ３に移り、エラー検出フラグＦを立ち上げるのに対し、エラーが検出されない場合、ステップＳＰ２からステップＳＰ４に移り、エラー検出フラグＦを立ち下げたままの状態に保持する。
【００３５】
コンパクトディスクプレイヤー２１は、キーデータ列Ｄ２について、このようなシンクデコーダ２４Ａによるエラー検出フラグＦの処理を完了すると、ステップＳＰ５において、暗号デコーダ２５により誤り検出符号、誤り訂正符号によりコピー防止キー５を処理してシステムコントローラ２３に通知する。また続くステップＳＰ６において、システムコントローラ２３において、暗号デコーダ２５における誤り訂正処理結果により、コンパクトディスク２０にコピー防止キー５が正しく記録されているか否か判断し、ここで否定結果が得られると、ステップＳＰ６からステップＳＰ７に移り、この処理手順を終了する。これに対してステップＳＰ６で肯定結果が得られると、ステップＳＰ６からステップＳＰ８に移り、コピー防止キー５を判定した後、ステップＳＰ７に移ってこの処理手順を終了する。
【００３６】
（１−１）第１の実施の形態の動作
以上の構成において、この実施の形態では、ディスク原盤作成装置１において、ディスク原盤２が順次露光されてピット列による潜像が形成され、このディスク原盤２が現像されてマスタディスクが作成され、このマスタディスクよりスタンパ、コンパクトディスク２０が順次作成される。
【００３７】
このディスク原盤作成装置１における露光においては、ＥＦＭ信号生成回路７で、光ディスク４等により提供されるデータよりチャンネルクロックの周期を基準周期としたＥＦＭ変調信号ＥＦＭが生成され、このＥＦＭ変調信号ＥＦＭがＥＦＭ信号出力回路９によりＮＲＺＩ変調され、これによりコンパクトディスク２０に作成するピット列に対応して信号レベルが変化する変調信号Ｓ１が生成され、この変調信号Ｓ１に応じたオンオフ制御に係るレーザービームの照射により、ディスク原盤２にピット列による潜像が形成される。
【００３８】
これによりこのディスク原盤作成装置１においては、チャンネルクロックによる基準周期の整数倍に対応する長さによりピット及びランドを順次作成して光ディスク４より提供されるデータを光ディスクであるディスク原盤２に記録する。またこのディスク原盤２から再生されるコンパクトディスク２０においては、この基準周期の整数倍に対応する長さによりピット及びランドが順次作成されて所望のデータが記録されてなるように形成される。
【００３９】
このようなＥＦＭ変調信号ＥＦＭによるディスク原盤２の露光において、ディスク原盤作成装置１においては、同期信号置換回路８で、コピーを制限する暗号データによるコピー防止キー５に誤り検出符号、誤り訂正符号が付加された後（図３）、これらが所定順序によるシリアルデータ列に変換されてキーデータ列Ｄ２が生成される。また同期信号が検出され、サブコーディングフレームの先頭フレームの同期信号が、このキーデータ列Ｄ２に応じて順次置き換えられる。
【００４０】
この置き換えにおいては（図４）、周期１１Ｔ、１１Ｔによるピット及びランド、又は周期１１Ｔ、１１Ｔによるランド及びピットの連続が、周期１１Ｔ、１０Ｔによるピット及びランド、又は周期１１Ｔ、１０Ｔによるランド及びピットが連続し、続くピット又はランドの長さがその分長くなるように、同期信号のパターンが置き換えられて実行される。
【００４１】
これらによりディスク原盤作成装置１では、再生時に検出されるピット及びランドのエッジのタイミングが、基準周期を単位にして変化するように設定されて、コピー防止キー５がディスク原盤２に記録される。またこのディスク原盤２から作成されるコンパクトディスク２０においても、基準周期を単位にして、再生時に検出されるピット及びランドのエッジのタイミングが変化するように、ピット及びランドが作成されて暗号データが記録される。
【００４２】。
しかしてコンパクトディスクにおいては、レーザービームを透過する光透過層の傷付き等によって、ピット及びランドのエッジのタイミングが誤って再生された場合でも、これら傷付き等が一定の範囲以下の場合、同期信号の誤検出をカバーできるように構成されており、これによりこの実施の形態のように、サブコーディングフレームの先頭フレームの同期信号に限って、故意に、エッジのタイミングが変化するように設定しても、何ら主データの再生には影響を与えないようにすることができる。
【００４３】
これによりこの実施の形態では、データを正しく再生可能な範囲でこのようなエッジのタイミングの変化が設定されて、既存の再生装置における再生を何ら妨げることなく、違法コピーを禁止するデータを記録することができる。
【００４４】
またこのディスク原盤作成装置１では、このようなエッジのタイミングの変化が同期信号に与えられ、この同期信号にあっては、他の主データ等では現れないパターンが適用されることにより、これによっても既存の再生装置における再生を何ら妨げることなく、違法コピーを禁止することができる。
【００４５】
またコピー防止キー５を繰り返し記録し、さらに誤り検出符号、誤り訂正符号を付加してコピー防止キー５を記録することにより、コピー防止キー５については、確実に再生することができ、これにより違法コピーを確実に防止することができる。
【００４６】
かくしてこのようにして作成されたコンパクトディスク２０は（図５）、コンパクトディスクプレイヤー２１において、レーザービームを照射して得られる戻り光が光ピックアップ２２で受光され、これによりピット列に応じて信号レベルが変化する再生信号ＲＦが生成され、この再生信号ＲＦが処理されてコンパクトディスク２０に記録されたデータが再生される。
【００４７】
コンパクトディスクプレイヤー２１では、これらの処理において、シンクデコーダ２４Ａにより同期信号の誤りが検出され、この誤り検出結果Ｆが暗号デコーダ２５で処理されてコピー防止キー５が再生される。またこのコピー防止キー５によるシステムコントローラ２３の制御により、ディジタル出力ＤＡが停止され、これにより違法コピーが防止される。
【００４８】
（１−３）第１の実施の形態の効果
以上の構成によれば、データを正しく再生可能な範囲で、基準周期を単位にして、再生時に検出されるピット及びランドのエッジのタイミングが変化するように、ピット及びランドを作成して、データのコピーを制限する暗号データを記録することにより、既存の再生装置における再生を何ら妨げることなく、違法コピーを禁止することができる。
【００４９】
またこのようなピット及びランドのエッジのタイミングの変化を同期信号に対応するピット及びランドに作成することにより、確実に既存の再生装置における再生を何ら妨げることなく、違法コピーを禁止することができる。
【００５０】
また誤り検出符号、誤り訂正符号と共に記録することにより、さらには繰り返し記録することにより、確実に暗号データを再生することができる。
【００５１】
（２）第２の実施の形態
図７は、図４との対比により本発明の第２の実施の形態に係るディスク原盤作成装置の説明に供するタイムチャートである。この実施の形態に係るディスク原盤作成装置においては、図７（Ｃ）、（Ｄ１）、（Ｄ２）に示すように、同期信号の終了端側エッジのタイミングを遅らせるように、ＥＦＭ変調信号ＥＦＭの同期信号を置き換える。なおこの実施の形態においては、この同期信号の処理に係る構成が異なる点を除いて、第１の実施の形態と同一に構成される。
【００５２】
この実施の形態のように、同期信号においてエッジのタイミングを遅らせるようにしても、第１の実施の形態と同様の効果を得ることができる。
【００５３】
（３）第３の実施の形態
図８は、図４との対比により本発明の第３の実施の形態に係るディスク原盤作成装置の説明に供するタイムチャートである。この実施の形態に係るディスク原盤作成装置においては、図８（Ｃ）、（Ｄ１）、（Ｄ２）に示すように、再生信号ＲＦにおいて、等価的に、同期信号の終了端側エッジのタイミングを速めるように、ＥＦＭ変調信号ＥＦＭの同期信号を置き換える。なおこの実施の形態においては、この同期信号の処理に係る構成が異なる点を除いて、第１の実施の形態と同一に構成される。
【００５４】
すなわちこの実施の形態では、同期信号の終了端側で３クロック周期の期間の間、論理１を連続させ、これによりＥＦＭ変調信号ＥＦＭ１において、同期信号の終了端側では、信号レベルが周期１Ｔにより１周期切り換わるようにする。このようにすれば、コンパクトディスクにおいては、対応する部位で、局所的に幅狭にピットが作成されたり、又は末尾が千切れたピットが形成されたりするが、コンパクトディスクプレイヤーにおいては、有限の大きさのビーム径を有するレーザービームを照射して再生信号ＲＦを検出することにより、第１の実施の形態と同様の再生信号を検出することができ、これにより第１の実施の形態と同様の効果を得ることができる。
【００５５】
この実施の形態によれば、等価的に、同期信号の終了端側エッジのタイミングを速めるようにピット等を作成しても、第１の実施の形態と同様の効果を得ることができる。
【００５６】
（４）第４の実施の形態
この実施の形態では、同期信号の末尾側、１２チャンネルクロックのパターンを１１チャンネルクロックのパターンに置き換えて、又はこの１２チャンネルクロックのパターンを１３チャンネルクロックのパターンに置き換えて、同期信号の終了端側エッジのタイミングを変化させ、コピー防止キーを記録する。なおこの実施の形態においては、この同期信号の処理に係る構成が異なる点を除いて、第１の実施の形態と同一に構成される。
【００５７】
この実施の形態のように同期信号のパターンの増減により、同期信号の終了端側エッジのタイミングを変化させてコピー防止キーを記録するようにしても、第１の実施の形態と同様の効果を得ることができる。
【００５８】
（５）第５の実施の形態
この実施の形態では、上述した第１〜第４の実施の形態に係る同期信号の末尾側処理に代えて同期信号の先頭側の処理により、又は同期信号の中央部分の処理により、又はこれらの組み合わせ、さらにはこれらの組み合わせと末尾側の処理の組み合わせによりコピー防止キーを記録する。なおこの実施の形態においては、この同期信号の処理に係る構成が異なる点を除いて、第１の実施の形態と同一に構成される。
【００５９】
この実施の形態のように同期信号の先頭側の処理により、又は同期信号の中央部分の処理により、又はこれらの組み合わせ、さらにはこれらの組み合わせと末尾側の処理の組み合わせによりコピー防止キーを記録するようにしても、第１の実施の形態と同様の効果を得ることができる。またこのような処理のうちの組み合わせの処理においては、エッジのタイミングを変化させる部位と、何らエッジのタイミングを変化させない部位とで３つ以上の状態を形成し得、これによりコピー防止キーを多値により記録することもできる。
【００６０】
（６）第６の実施の形態
この実施の形態では、同期信号に係るエッジのタイミングを速める処理と、エッジのタイミングを遅延させる処理との組み合わせにより、コピー防止キーを記録する。なおこの実施の形態においては、この同期信号の処理に係る構成が異なる点を除いて、第１の実施の形態と同一に構成される。
【００６１】
この実施の形態のように、エッジのタイミングを速くする処理と、エッジのタイミングを遅延させる処理との組み合わせにより、コピー防止キーを記録するようにしても、第１の実施の形態と同様の効果を得ることができる。またこのようにすれば、何らエッジのタイミングを変化させない場合とで３つの状態を形成し得、これによりコピー防止キーを３値により記録することもできる。
【００６２】
（７）第７の実施の形態
図１との対比により示す図９は、本発明の第７の実施の形態に係るディスク原盤作成装置を示すブロック図である。このディスク原盤作成装置３１においては、パターン置換回路３８により、ＥＦＭ変調信号ＥＦＭに含まれる最も短い周期である周期３Ｔのパターンを検出し、このパターンの置き換えによりエッジのタイミングを変化させる。なおこの実施の形態においては、この周期３Ｔに係るパターンの処理に係る構成が異なる点を除いて、第１の実施の形態と同一に構成されることにより、図９においては、図１との同一の構成にあっては、同一の符号を付して示し重複した説明は省略する。
【００６３】
すなわちこの実施の形態において、パターン置換回路３８は、システムコントローラ２３の制御により、所定の領域について、ＥＦＭ信号生成回路７から出力されるＥＦＭ変調信号ＥＦＭを監視し、このＥＦＭ変調信号ＥＦＭに含まれる周期３Ｔのパターンを検出する。さらにこのようにして検出される周期３Ｔのパターンのうちの所定のパターンについて、図１０（Ａ）、（Ｂ１）及び（Ｂ２）との対比により図１０（Ｃ）、（Ｄ１）及び（Ｄ２）に示すように、この周期３Ｔパターンの繰り返しの末尾側エッジの位置を変化させ、これによりコピー防止キーを記録する。
【００６４】
この実施の形態では、ＥＦＭ変調信号ＥＦＭに含まれる最も短い周期である周期３Ｔより短い周期２Ｔを形成するように、この末尾側エッジの位置が変化され、これにより主データの処理に与える影響を軽減するようになされている。
【００６５】
この実施の形態のように、ピット及びランドのエッジのタイミングの変化を、光ディスクに形成される長さが最も短いピット及びランドに形成するようにしても、第１の実施の形態と同様の効果を得ることができる。
【００６６】
またこのようなエッジのタイミングの変化が、光ディスクに形成される長さが最も短いピット及びランドに比して、さらにピット及びランドを短くする処理であることにより、主データの処理に与える影響を一段と軽減することができる。
【００６７】
（８）第８の実施の形態
この実施の形態では、第７の実施の形態に係る周期３Ｔのパターンに係る処理に代えて、主データに対応するＥＦＭ変調信号ＥＦＭに含まれる最も長い周期である周期１１Ｔのパターンを検出し、このパターンの置き換えによりエッジのタイミングを変化させる。なおこの実施の形態においては、この周期１１Ｔに係るパターンの処理に係る構成が異なる点を除いて、第７の実施の形態と同一に構成される。
【００６８】
またこの実施の形態では、この最も長い周期１１Ｔのパターンのエッジのタイミングを、この周期１１Ｔより長い周期１２Ｔを形成するようにして変化させ、これにより主データの処理に与える影響を軽減する。
【００６９】
この実施の形態のように、ピット及びランドのエッジのタイミングの変化を、光ディスクに形成される長さが最も長いピット及びランドに形成するようにしても、第１の実施の形態と同様の効果を得ることができる。
【００７０】
またこのようなエッジのタイミングの変化が、光ディスクに形成される長さが最も長いピット及びランドに比して、さらにピット及びランドを長くする処理であることにより、主データの処理に与える影響を一段と軽減することができる。
【００７１】
（９）第９の実施の形態
この実施の形態では、第７及び第８の実施の形態に係る周期３Ｔ、周期１１Ｔのパターンの繰り返しに係る末尾側の処理に代えて、先頭及び又は中央のエッジを変化させるように、又はこれらと末尾側の処理との組み合わせにより、コピー防止キーを記録する。
【００７２】
これら周期３Ｔ、周期１１Ｔのパターンにおいて、先頭側、中央のエッジのタイミグを変化させるようにしても、上述の実施の形態と同様の効果を得ることができる。
【００７３】
（１０）他の実施の形態
なお上述の実施の形態においては、ＥＦＭ変調信号を置換回路により処理して同期信号等を置き換える場合について述べたが、本発明はこれに限らず、置換回路を省略して、直接、特定のパターンを置き換えてなる変調信号を記録に供するデータから生成するようにしてもよい。
【００７４】
また上述の実施の形態においては、単にエッジの変化によりコピー防止キーを記録する場合について述べたが、本発明はこれに限らず、このコピー防止キーの暗号化を解除するキーを別途、上述した実施の形態により記録する場合等に広く適用することができる。
【００７５】
また上述の実施の形態においては、例えばサブコーディングフレームの先頭フレームに暗号データを割り当てる場合について述べたが、本発明はこれに限らず、要は正しく再生可能な範囲で暗号データを割り当てるようにすればよく、必要に応じて種々のタイミングで暗号データを割り当てることができる。
【００７６】
また上述の実施の形態においては、本発明をコンパクトディスクプレイヤーに適用する場合について述べたが本発明はこれに限らず、例えばコンピュータに搭載される光ディスクドライブ等、種々の光ディスク装置広く適用することができる。
【００７７】
さらに上述の実施の形態においては、コンパクトディスクに本発明を適用する場合について述べたが、本発明はこれに限らず、ＣＤ−ＲＯＭ、ＤＶＤ（Ｄｉｇｉｔａｌ  Ｖｉｄｅｏ  Ｄｉｓｋ）、いわゆるＤＶＤの次世代ディスク、さらには光磁気ディスク等に広く適用することができる。
【００７８】
【発明の効果】
上述のように本発明によれば、データを正しく再生可能な範囲で、基準周期を単位にして、再生時に検出されるピット及びランドのエッジのタイミング、又はマーク及びスペースのエッジのタイミングが変化するように、ピット及びランド若しくはマーク及びスペースを作成して、データのコピーを制限する暗号データを記録することにより、既存の再生装置における再生を何ら妨げることなく、違法コピーを禁止することができる。
【図面の簡単な説明】
【図１】本発明の第１の実施の形態に係るディスク原盤作成装置を示すブロック図である。
【図２】図１のディスク原盤作成装置によるサブコーディングフレームを示す図表である。
【図３】図１のディスク原盤作成装置によるコピー防止キーの説明に供する図表である。
【図４】図１のディスク原盤作成装置によるコピー防止キーの記録の説明に供するタイムチャートである。
【図５】本発明の第１の実施の形態に係るコンパクトディスクプレイヤーを示すブロック図である。
【図６】図５のコンパクトディスクプレイヤーの動作の説明に供するフローチャートである。
【図７】本発明の第２の実施の形態に係るディスク原盤作成装置の説明に供するタイムチャートである。
【図８】本発明の第３の実施の形態に係るディスク原盤作成装置の説明に供するタイムチャートである。
【図９】本発明の第７の実施の形態に係るディスク原盤作成装置を示すブロック図である。
【図１０】図９のディスク原盤作成装置によるコピー防止キーの記録の説明に供するタイムチャートである。
【符号の説明】
１、３１……ディスク原盤作成装置、２……ディスク原盤、３、３３……フォーマッタ、７……ＥＦＭ信号生成回路、８……同期信号置換回路、９……ＥＦＭ信号出力回路、２０……コンパクトディスク、２１……コンパクトディスクプレイヤー、２４Ａ……シンクデコーダ、２５……暗号デコーダ、２３……システムコントローラ、３８……パターン置換回路
【図１】
2004185767.tif 000003
【図２】
2004185767.tif 000004
【図３】
2004185767.tif 000005
【図４】
2004185767.tif 000006
【図５】
2004185767.tif 000007
【図６】
2004185767.tif 000008
【図７】
2004185767.tif 000009
【図８】
2004185767.tif 000010
【図９】
2004185767.tif 000011
【図１０】
2004185767.tif 000012